【手続補正書】
【提出日】平成19年1月9日(2007.1.9)
【手続補正１】
【補正対象書類名】明細書
【補正対象項目名】発明の名称
【補正方法】変更
【補正の内容】
【発明の名称】デジタル衛星放送信号の復調装置及び方法
【手続補正２】
【補正対象書類名】明細書
【補正対象項目名】特許請求の範囲
【補正方法】変更
【補正の内容】
【特許請求の範囲】
【請求項１】  複数のトランスポートストリームが多重化された多重化ストリームが入力されるデジタル衛星放送信号の復調装置において、
少なくともインターリーブブロックの２倍の容量を有するインターリーブメモリと、
上記インターリーブメモリに上記多重化ストリームを書き込む書込制御手段と、
所定のブロックインターリーブ規則に従って上記インターリーブメモリに書き込まれたデータを読み出す読出制御手段とを備え、
上記読出制御手段は、上記多重化ストリームを構成する任意の１つのトランスポートストリームを選択し、選択したトランスポートストリームのみを上記インターリーブメモリから読み出して出力することを特徴とするデジタル衛星放送信号の復調装置。
【請求項２】  選択されたトランスポートストリームの出力クロック周波数に応じて、上記インターリーブメモリから読み出されるデータのクロック周波数を制御するクロック制御手段を備えることを特徴とする請求項１記載のデジタル衛星放送信号の復調装置。
【請求項３】  上記クロック制御手段は、インターリーブブロックの全データ数をｘ、上記インターリーブブロック内で選択したトランスポートストリームのデータ数をｙ、上記インターリーブブロックの周期をＴとしたとき、上記インターリーブメモリから読み出されるデータのクロック周波数をｘ／（Ｔ・ｙ）とすることを特徴とする請求項２記載のデジタル衛星放送信号の復調装置。
【請求項４】  上記読出制御手段は、選択された上記トランスポートストリームが割り当てられたスロットのみを上記インターリーブメモリから読み出して出力し、
上記クロック制御手段は、１スーパーフレーム内に含まれる全スロット数をｎ、上記１スーパーフレーム内に含まれる選択された上記トランスポートストリームが割り当てられたスロットの数をｍ、１スーパーフレーム期間をＴとしたとき、上記インターリーブメモリから読み出されるトランスポートストリームのデータのクロック周波数をｎ／（Ｔ・ｍ）とすることを特徴とする請求項３記載のデジタル衛星放送信号の復調装置。
【請求項５】  上記インターリーブメモリから読み出されたデータに対して疑似ランダム信号を加算して逆エネルギー拡散処理を行う逆エネルギー拡散処理手段を備え、
上記逆エネルギー拡散処理手段は、スーパーフレーム内の各スロットの先頭データに対して加算される疑似ランダム信号の初期値を全スロット分格納して、各スロットの先頭で疑似ランダム信号を上記初期値に更新することを特徴とする請求項４記載のデジタル衛星放送信号の復調装置。
【請求項６】  上記書込制御手段は、主信号とともにＴＭＣＣ(Transmission and Multiplexing Configuration Control)信号を上記インターリーブメモリに書き込み、
上記クロック制御手段は、選択されたトランスポートストリームの出力クロック周波数、及び、１スーパフレーム内に含まれるＴＭＣＣ信号のデータ量に応じて、上記インターリーブメモリから読み出されるデータのクロック周波数を制御することを特徴とする請求項２記載のデジタル衛星放送信号の復調装置。
【請求項７】  複数のトランスポートストリームが多重化された多重化ストリームを含むデジタル衛星放送信号を復調するデジタル衛星放送信号の復調方法において、
インターリーブメモリに対して上記多重化ストリームを書き込むときには、多重化されたトランスポートストリームを全て書き込み、上記インターリーブメモリから読み出すときには、選択された１のトランスポートストリームのみを読み出すことを特徴とするデジタル衛星放送信号の復調方法。
【請求項８】  選択されたトランスポートストリームの出力クロック周波数に応じて、上記インターリーブメモリから読み出されるデータのクロック周波数を制御することを特徴とする請求項７記載のデジタル衛星放送信号の復調方法。
【請求項９】  インターリーブブロックの全データ数をｘ、上記インターリーブブロック内で選択したトランスポートストリームのデータ数をｙ、上記インターリーブブロックの周期をＴとしたとき、上記インターリーブメモリから読み出されるデータのクロック周波数をｘ／（Ｔ・ｙ）とすることを特徴とする請求項８記載のデジタル衛星放送信号の復調方法。
【請求項１０】  選択された上記トランスポートストリームが割り当てられたスロットのみを上記インターリーブメモリから読み出して出力し、
１スーパーフレーム内に含まれる全スロット数をｎ、上記１スーパーフレーム内に含まれる選択された上記トランスポートストリームが割り当てられたスロットの数をｍ、１スーパーフレーム期間をＴとしたとき、上記インターリーブメモリから読み出されるトランスポートストリームのデータのクロック周波数をｎ／（Ｔ・ｍ）とすることを特徴とする請求項９記載のデジタル衛星放送信号の復調方法。
【請求項１１】  上記インターリーブメモリから読み出されたデータに対して疑似ランダム信号を加算して逆エネルギー拡散処理を行い、
上記逆エネルギー拡散処理時に、スーパーフレーム内の各スロットの先頭データに対して加算される疑似ランダム信号の初期値を全スロット分格納して、各スロットの先頭で疑似ランダム信号を上記初期値に更新することを特徴とする請求項１０記載のデジタル衛星放送信号の復調方法。
【請求項１２】  主信号とともにＴＭＣＣ(Transmission and Multiplexing Configuration Control)信号を上記インターリーブメモリに書き込み、
選択されたトランスポートストリームの出力クロック周波数、及び、１スーパーフレーム内に含まれるＴＭＣＣ信号のデータ量に応じて、上記インターリーブメモリから読み出されるデータのクロック周波数を制御することを特徴とする請求項８記載のデジタル衛星放送信号の復調方法。
【手続補正３】
【補正対象書類名】明細書
【補正対象項目名】０００１
【補正方法】変更
【補正の内容】
【０００１】
【発明の属する技術分野】  本発明は、デジタル衛星放送の伝送データを復調するデジタル衛星放送信号の復調装置及び方法に関するものである。
【手続補正４】
【補正対象書類名】明細書
【補正対象項目名】０００５
【補正方法】変更
【補正の内容】
【０００５】
制御信号部は、１フレームあたり８バイトのＴＭＣＣ(Transmission and Multiplexing Configuration Control)信号と、その前後に付加された２バイトのフレーム同期信号（ＴＡＢ１，ＴＡＢ２）とにより構成される。このＴＭＣＣ信号は、４８バイトのＴＭＣＣ情報に、１６バイトのＲＳ誤り訂正符号が付けられた信号であり、１スーパフレーム単位で情報内容が割り当てられる情報である。このＴＭＣＣ信号は、８バイト毎に分割されて、各フレームの先頭に配置して送信される。
この制御信号部は、必ずＢＰＳＫで変調される。
【手続補正５】
【補正対象書類名】明細書
【補正対象項目名】０００６
【補正方法】変更
【補正の内容】
【０００６】
また、ＢＳデジタル放送では、主信号の変調方式及び畳み込み符号の符号化方式をスロット単位で選択することが可能となっている。具体的には、図９に示すように、主信号の変調方式としては、ＰＳＫ（８ＰＳＫ）、ＱＰＳＫ、ＢＰＳＫのいずれかの変調方式を選択することができる。また、内符号の符号化方式としては、８ＰＳＫに対しては、トレリス符号化を、ＱＰＳＫ及びＢＰＳＫに対しては、畳み込み符号化をそれぞれ選択することができる。トレリス符号化の符号化率は２／３を、ＱＰＳＫに対する畳み込み符号の符号化率は１／２，２／３，３／４，５／６，７／８（２／３〜７／８はパンクチャード符号）を、ＢＰＳＫに対する符号化率は１／２をそれぞれ選択することができる。
【手続補正６】
【補正対象書類名】明細書
【補正対象項目名】００１１
【補正方法】変更
【補正の内容】
【００１１】
具体的に各変調／符号化方式の最小割当単位のスロット数は、図９に示すようになる。この図９に示すように、トレリス符号化８ＰＳＫ（ＴＣ８ＰＳＫ）であれば最小割当単位は、１スロットとなる。ＱＰＳＫの符号化率７／８（ＱＰＳＫ７／８）の場合であれば最小割当単位は、８スロットとなる。ＱＰＳＫの符号化率５／６（ＱＰＳＫ５／６）の場合であれば最小割当単位は、６スロットとなる。ＱＰＳＫの符号化率３／４（ＱＰＳＫ３／４）の場合であれば最小割当単位は、４スロットとなる。ＱＰＳＫの符号化率２／３（ＱＰＳＫ２／３）の場合であれば最小割当単位は、３スロットとなる。ＱＰＳＫの符号化率１／２（ＱＰＳＫ１／２）の場合であれば最小割当単位は、２スロットとなる。ＢＰＳＫであれば最小割当単位は、４スロットとなる、といったように定められている。各変調／符号化方式を割り当てる場合には、これらの最小割当単位の倍数単位でスロットを割り当てていかなければならない。
【手続補正７】
【補正対象書類名】明細書
【補正対象項目名】００１６
【補正方法】変更
【補正の内容】
【００１６】
また、ＢＳデジタル放送では、畳み込み符号によるバーストエラーを回避するため、ＲＳ符号化処理と、畳み込み処理との間に、インターリーブ処理が行われる。ＢＳデジタル放送では、上述したスーパーフレーム単位でブロックインターリーブが行われる。ＢＳデジタル放送のインターリーブ／デインターリーブは、ＴＭＣＣや同期信号を除いた、主信号に対してのみ行われる。
【手続補正８】
【補正対象書類名】明細書
【補正対象項目名】００２５
【補正方法】変更
【補正の内容】
【００２５】
すなわち、ＢＳデジタル放送のインターリーバは、各フレームの第ｉスロット（スロット＃（ｉ―１））を切り出して形成されるスロット面を１つのインターリーブブロックとし、このインターリーブブロックを４８個並列に用いたブロックインターリーブを行っている。各インターリーブブロックは、８行２０３列のデータ配列となる。
【手続補正９】
【補正対象書類名】明細書
【補正対象項目名】００２９
【補正方法】変更
【補正の内容】
【００２９】
直交復調部１０２には、パラボラアンテナにより受信されたデジタル衛星放送の受信信号が入力される。直交復調部１０２は、ＲＦ信号をＩＦ信号に変換する周波数変換、ＩＦ信号を直交復調してＩＱ信号データに変換する直交復調、シンボルクロック同期再生、搬送波同期再生、フレーム同期等の同期処理を行う。直交復調部１０２により直交復調されたＩＱ信号データは、ビタビデコーダ１０３に送出される。
【手続補正１０】
【補正対象書類名】明細書
【補正対象項目名】００３６
【補正方法】変更
【補正の内容】
【００３６】
また、ＴＳ／ＩＦ１０８は、クロックレートの切り換え処理も行う。ＢＳデジタル信号の受信装置１０１では、このＴＳ／ＩＦ１０８にデータを書き込むまでの処理に関し、シンボルクロックの２倍の周波数のクロックであるデータクロック（ＤＣＫ）に基づき動作する。そして、このＴＳ／ＩＦ１０８からデータを読み出すクロックは、出力するスロット数に応じて生成されるクロックである出力クロック（ＴＳＣＫ）に基づいて定まる。シンボルクロックとは、入力信号の１シンボルに同期したクロックであり、例えば、直交復調部１０２によりこのシンボルクロックのクロック再生が行われる。また、出力クロック（ＴＳＣＫ）は、１スーパフレームの周期をＴ、選択された上記トランスポートフレームが割り当てられたスロットの数ｍ、１スーパーフレーム内に含まれる全スロット数をｎとしたとき、以下の式で与えられる。
ＴＳＣＫ＝ｎ／（Ｔ・ｍ）
すなわち、ＴＳ／ＩＦ１０８は、送信時において生成されたＴＳのクロックを生成し、そのクロックレートでＴＳを出力する。
【手続補正１１】
【補正対象書類名】明細書
【補正対象項目名】００３９
【補正方法】変更
【補正の内容】
【００３９】
ＴＭＣＣデコーダ１１１は、１スーパフレーム毎にＴＭＣＣ情報を復号し、ＴＭＣＣ情報に記述されている必要な情報を、各部に送出する。なお、あるスーパーフレームに対するＴＭＣＣ情報は、２つ前のスーパーフレームに付加されて送信されてくる。
【手続補正１２】
【補正対象書類名】明細書
【補正対象項目名】００４３
【補正方法】変更
【補正の内容】
【００４３】
本発明は、このような実情を鑑みてなされたものであり、ＴＳを所定のクロックで送出するために用いられるスムージングバッファの容量を削減することができるデジタル衛星放送信号の復調装置及び方法を提供することを目的とする。
【手続補正１３】
【補正対象書類名】明細書
【補正対象項目名】００４４
【補正方法】変更
【補正の内容】
【００４４】
【課題を解決するための手段】  本発明にかかるデジタル衛星放送信号の復調装置は、複数のトランスポートストリームが多重化された多重化ストリームが入力されるデジタル衛星放送信号の復調装置において、少なくともインターリーブブロックの２倍の容量を有するインターリーブメモリと、上記インターリーブメモリに上記多重化ストリームを書き込む書込制御手段と、所定のブロックインターリーブ規則に従って上記インターリーブメモリに書き込まれたデータを読み出す読出制御手段とを備え、上記読出制御手段は、上記多重化ストリームを構成する任意の１つのトランスポートストリームを選択し、選択したトランスポートストリームのみを上記インターリーブメモリから読み出して出力することを特徴とする。
【手続補正１４】
【補正対象書類名】明細書
【補正対象項目名】００４７
【補正方法】変更
【補正の内容】
【００４７】
本発明にかかるデジタル衛星放送信号の復調方法は、複数のトランスポートストリームが多重化された多重化ストリームを含むデジタル衛星放送信号を復調するデジタル衛星放送信号の復調方法であって、インターリーブメモリに対して上記多重化ストリームを書き込むときには、多重化されたトランスポートストリームを全て書き込み、上記インターリーブメモリから読み出すときには、選択された１のトランスポートストリームのみを読み出すことを特徴とする。
【手続補正１５】
【補正対象書類名】明細書
【補正対象項目名】００５０
【補正方法】変更
【補正の内容】
【００５０】
【発明の実施の形態】  以下、本発明の実施の形態として、本発明のデジタル衛星放送信号の復調装置を適用したＢＳデジタル放送の受信装置について、図面を参照しながら説明する。
【手続補正１６】
【補正対象書類名】明細書
【補正対象項目名】０１２１
【補正方法】変更
【補正の内容】
【０１２１】
【発明の効果】  本発明にかかるデジタル衛星放送信号の復調方法では、インターリーブメモリから選択されたトランスポートストリームのみを読み出し、その読み出しクロック周波数を、この選択されたトランスポートストリームの最終的なクロック周波数に応じて制御する。